(57)【要約】【課題】  積載時の軒樋の変形、損傷、崩れを比較的簡便な構造、形状として効果的に抑制することを可能とし、化粧板の前面板への取付けを容易ともする。【解決手段】  底板１から延設される前面板２の上端部に補強用の耳部２Ａを有する軒樋であって、前面板２の耳部２Ａ近傍には、内方への凹部２Ｂが設けられ、この凹部２Ｂの上方屈曲部には前面板前面での水切り用の突起２Ｃが配設されているとともに、上端部の耳部２Ａには、前記水切り用の突起２Ｃが嵌着可能とされている嵌着凹み部２Ａ２が設けられていることとする。この嵌着凹み部２Ａ２は、化粧板の上端での係止にも利用する。【選択図】図１
2009263984.tif 000002
【特許請求の範囲】
【請求項１】
底板から延設される前面板の上端部に補強用の耳部を有する軒樋であって、前面板の耳部近傍には、内方への凹部が設けられ、この凹部の上方屈曲部には前面板前面での水切り用の突起が配設されているとともに、上端部の耳部には、前記水切り用の突起が嵌着可能とされている嵌着凹み部が設けられていることを特徴とする軒樋。
【請求項２】
請求項１に記載の軒樋が複数重ねられた積載構成体であって、第１の軒樋の嵌着凹み部には、隣り合う第２の軒樋の水切り用の突起が嵌着されて積載されていることを特徴とする軒樋の積載構成体。
【請求項３】
請求項１に記載の軒樋の前面板に化粧板が取付けられた軒樋化粧構成体であって、化粧板の上端部に設けた軒樋内方への屈曲片部の端縁部が軒樋の嵌着凹み部に係止されていることを特徴とする軒樋化粧構成体。
【発明の詳細な説明】
【技術分野】
【０００１】
本発明は軒樋とその複数のものを積載した軒樋の積載構成体並びにその前面に化粧板を取付けた軒樋化粧構成体に関するものである。
【背景技術】
【０００２】
一般に軒樋の流通では複数本の軒樋を一まとめにまとめて搬送、保管されている。この場合、複数本の軒樋は重ね合わされて積載状態となっている。
【０００３】
このような積載状態の軒樋では、搬送や保管中に外圧や自重によって変形し、積載本数が多いと積載状態が崩れやすくなり、流通過程で支障を生じかねず、ひいては、軒樋そのものの変形や損傷を生じかねないという問題があった。
【０００４】
このような問題への対策として、たとえば図４や図５に示したように、底板１とこれに延設される前面板２と後面板３とを有する軒樋において、底板１に近接して、前面板２と後面板３の下方内側に、支持凸部４を設け、積載時にはこの支持凸部４において積載された軒樋の底板１の下面を支えるようにすること（特許文献１）や、あるいは図６に示したように、底板１に近接して、前面板２の内側に屈曲板５を設けて段差部を形成し、この段差部において、積載時には隣り合う軒樋の前面板折り曲げ部６を支えるようにすること（特許文献２）が考察されてきている。
【０００５】
しかし、これらの従来の対策では、前記支持凸部４や屈曲板５による段差形成等は、軒樋の製造・加工にとっては負担のかかる構造、形状であって、簡便で生産性の良好なものとは言い難いという問題点があった。
【０００６】
そこで、軒樋の構造、形状について簡便に製造、加工が可能な形態として、軒樋の上端部に設けられている耳部において積載時の変形、崩れを防止しょうとすることが考えられる。しかし、耳部は、前面板や後面板の上端部に設けられているため、強度的にも積載時に軒樋の変形、崩れの圧力を支えるには必ずしも適当な部位ではないという問題点があった。
【０００７】
また、近年では、軒樋の前面には化粧鋼板等の化粧板を配設して建物の見栄えを良くすることも行われてきているが、これまでの軒樋においては、化粧鋼板等の化粧板を前面板に取付けることは必ずしも容易ではなかった。
【特許文献１】実開平６−５１３３８号公報
【特許文献２】特開平７−２３３５９９号公報
【発明の開示】
【発明が解決しようとする課題】
【０００８】
本発明は、以上のとおりの背景から、従来の問題点を解消して、積載時の軒樋の変形、崩れを比較的簡便な構造、形状として効果的に抑制することが可能であって、しかも化粧鋼板等の化粧板の前面板への取付けを容易とすることも可能な、新しい軒樋と、その複数のものの積載した状態の積載構成体並びにその前面に化粧板を取付けた軒樋化粧構成体を提供することを課題としている。
【課題を解決するための手段】
【０００９】
本発明の軒樋は、上記課題を解決するものとして、底板から延設される前面板の上端部に補強用の耳部を有する軒樋であって、前面板の耳部近傍には、内方へ凹部が設けられ、この凹部の上方屈曲部には前面板前面での水切り用の突起が配設されているとともに、上端部の耳部には、前記水切り用の突起が嵌着可能とされている嵌着凹み部が設けられていることを特徴としている。
【００１０】
また、本発明の複数の軒樋の積層構成体では、上記の軒樋の積載時に、第１の軒樋の嵌着凹み部に、これに隣り合う第２の軒樋の水切り用の突起が嵌着されて積載されていることを特徴としている。
【００１１】
そして本発明の上記軒樋の前面に化粧鋼板等の化粧板が取付けられた軒樋化粧構成体では、化粧板の上端部に設けた軒樋内方への屈曲片部の端縁部が軒樋の嵌着凹部に係止されていることを特徴としている。
【発明の効果】
【００１２】
上記のとおりの本発明の軒樋によれば、耳部とその近傍での嵌着に強度を持たせ、製造、加工が比較的簡便で容易な構造、形状とすることによって、複数の軒樋の積載時の変形、損傷、崩れをより確実に抑制することが可能とされる。このため、その積層構成体においては、変形、損傷、崩れが抑制されたものとして、安定して流通過程での取扱いが可能となる。さらには、軒樋の品質保全もより一層高まることになる。
【００１３】
そして、本発明の軒樋化粧構成体によれば、以上のような効果が奏される軒樋を用い、しかも軒樋の前面板への化粧板の取付けも、嵌着凹み部を利用しての化粧板上端部での係止という簡便な形態として容易となる。
【発明を実施するための最良の形態】
【００１４】
添付した図面の図１は、本発明の軒樋の一実施形態を例示した断面図と要部拡大断面図である。この実施の形態について説明すると、軒樋は、金属や樹脂、あるいはその複合体として製造加工されるが、基本的な構成として、雨水がその上面を流れる底板１と、この底板１の前後に上向きに立ち上がって延設されている前面板２と後面板３とを有し、その各々の上端部には補強用の耳部２Ａ、３Ａが設けられている。また、耳部２Ａ、３Ａには、雨水が流れる軒樋の内方に向って屈曲し、軒樋の吊り金具の端部を係止する吊り金具係止部２Ａ１、３Ａ１が配置されている。
【００１５】
そして、軒樋の前面板２の耳部２Ａ近傍には、軒樋の雨水の流れる内方に向って、凹部２Ｂが設けられ、この凹部２Ｂの上方（上側）の屈曲部には前面板２前面での水切り用の突起２Ｃが配設されている。この水切り用の突起２Ｃによって、軒樋の建物への取付け時には、前面板２の前面での水切りを確実に行うようにしている。これによって、より迅速な水切りが可能とされ、前面板２の前面での雨水による汚れ等の不具合の発生を効果的に回避することになる。
【００１６】
また、一方で、上端部の耳部２Ａには、この水切り用の突起２Ｃが嵌着可能とされている嵌着凹み部２Ａ２が設けられている。さらには、耳部２Ａには、軒樋内方へと向う凸部２Ａ３も設けられている。この凸部２Ａ３は、前面板２の凹部２Ｂに係合できるようにされている。
【００１７】
図２は、上記の軒樋２本を積載した場合を例示した断面図である。この図２によって、積載時には、一方の軒樋Ａの前面板２に設けられた水切り用の突起２Ｃが、他方の軒樋Ｂ耳部２Ａの嵌着凹み部２Ａ２にしっかりと嵌着される様子がよくわかる。そしてこの嵌着にともなって、他方の軒樋Ｂの耳部２Ａにある凸部２Ａ３が、一方の軒樋Ａの凹部２Ｂに係合されている。
【００１８】
本発明の積載構成体は、このような水切り用の突起２Ｃの嵌着によって、さらには水切り用の突起２Ｃの嵌着と凸部２Ａ３の係合とによって、たとえば図２中の矢印Ｃ方向へのズレ等として現象する積載時の変形、損傷、崩れを効果的に防止することになる。
【００１９】
前面板２に設けた凹部２Ｂの位置は、その上方屈曲部の水切り用の突起２Ｃが他方の軒樋の耳部２Ａにある嵌着凹み部２Ａ２に嵌着されることから、より確実で安定した嵌着強度とするためにも、耳部２Ａの近傍とすることが望ましい。また、突起２Ｃによる、前面板２前面のより上方での水切りを効果的なものとするためにも、凹部２Ｂの位置は耳部２Ａの近傍とすることが望ましい。前面板２の立ち上がり（延設）長さをＨとすると、前記の凹部２Ｂについては、耳部２Ａのある前面板２の上端から、１／４Ｈ〜１／３Ｈ程度の範囲の位置にあるようにすることが好ましい。
【００２０】
また、耳部２Ａにおいては、図１、図２の実施の形態では嵌着凹み部２Ａ２での嵌着を確実なものとして嵌着強度を高めるために中空部２Ａ４を設けている。軒樋や耳部の素材強度等によっては必ずしもこのような中空部２Ａ４を設けなくてもよい。
【００２１】
以上のとおりの積載時の変形、損傷、崩れの防止策は、前面板２において採用されているが、後面板３についても同様のものとしてもよいし、後面板３については、より簡略な、従来からの適宜な構造、形状としてもよい。図１および図２はその例を示している。この例では、一方の軒樋Ａにおける耳部３Ａの外側下方の受け凹部３Ａ２において、他方の軒樋Ｂの耳部３Ａ頂部を受けるようにしている。
【００２２】
図３は、本発明の軒樋化粧構成体の実施形態を例示したものである。この図３の例に示したように、上記の本発明の軒樋によれば、耳部２Ａの嵌着凹み部２Ａ２を、化粧鋼板等の化粧板７の係止用として利用することができる。すなわち、化粧板７の上端部には軒樋内方への屈曲片部７Ａが設けられ、その端縁部７Ｂが、軒樋の嵌着凹み部２Ａ２に係止されるようにしている。これによって、軒樋の前面板２に対して化粧板７を引っ掛けやすくする。化粧板７の下端部については、図３のように底板１の膨出角部８等に適宜に係止すればよい。
【００２３】
もちろん、以上の例示に限られることなく、本発明には更に様々な実施上の形態があり得る。細部の構成、形状等についても言うまでもない。
【図面の簡単な説明】
【００２４】
【図１】本発明の軒樋の一つの実施形態を示した断面図と要部拡大断面図である。
【図２】本発明の軒樋の積載についての一実施形態を示した断面図である。
【図３】本発明の軒樋化粧構成体の一実施形態を示した断面図である。
【図４】従来の軒樋を例示した断面図である。
【図５】従来の軒樋の別の例を示した断面図である。
【図６】さらに従来の軒樋の別の例を示した断面図である。
【符号の説明】
【００２５】
１  底板
２  前面板
２Ａ  耳部
２Ａ１  吊し金具係止部
２Ａ２  嵌着凹み部
２Ａ３  凸部
２Ａ４  中空部
２Ｂ  凹部
２Ｃ  突起
３  後面板
３Ａ  耳部
３Ａ１  吊り金具係止部
３Ａ２  受け凹部
４  支持凸部
５  屈曲板
６  前面板折り曲げ部
７  化粧板
７Ａ  屈曲片部
７Ｂ  端縁部
８  膨出角部
Ａ、Ｂ  軒樋
【図１】
2009263984.tif 000003
【図２】
2009263984.tif 000004
【図３】
2009263984.tif 000005
【図４】
2009263984.tif 000006
【図５】
2009263984.tif 000007
【図６】
2009263984.tif 000008